(57)【要約】【課題】疑似輪郭を低減させることができるプラズマディスプレイパネルの駆動方法および装置を提供する。【解決手段】本発明のプラズマディスプレイパネルの駆動方法は、各階調における発光中心を用いて抽出された疑似輪郭を発生しない階調を設定させておき、入力される階調に基づいて疑似輪郭が発生するか否かによって階調処理を行う。即ち、入力階調が疑似輪郭が発生し得る階調である場合、設定された各階調のうち前記入力階調に隣接する階調に対する発光中心を用いて前記入力階調を疑似輪郭を発生しない階調と推定させることができる。【選択図】図４
2004272249.tif 000002
【特許請求の範囲】
【請求項１】
各階調別に存在する発光中心を用いて平均軌跡を追従するステップと、
前記平均軌跡から一定の範囲内に存在する発光中心に対応する階調を抽出するステップと、
前記抽出された階調を用いて抽出されていない階調を推定するステップと、
を含むことを特徴とするプラズマディスプレイパネルの駆動方法。
【請求項２】
前記平均軌跡を追従するステップは、
各階調別に存在する発光中心を算出するステップと、
前記算出された発光中心に対する各平均値を結んで形成される平均軌跡を追従するステップと、
を含むことを特徴とする請求項１に記載のプラズマディスプレイパネルの駆動方法。
【請求項３】
前記階調を抽出するステップは、
前記平均軌跡を中心に一定の距離だけ隔てられた位置に第１および第２のしきい値をそれぞれ設定するステップと、
前記第１および第２のしきい値の間に存在する複数の発光中心を抽出するステップと、
前記抽出された発光中心のそれぞれに対応する階調を得るステップと、
をさらに含むことを特徴とする請求項１に記載のプラズマディスプレイパネルの駆動方法。
【請求項４】
前記抽出されていない階調は、誤差拡散により推定されることを特徴とする請求項１に記載のプラズマディスプレイパネルの駆動方法。
【請求項５】
前記抽出されていない階調は、ディザリングにより推定されることを特徴とする請求項１に記載のプラズマディスプレイパネルの駆動方法。
【請求項６】
前記抽出されていない階調は、これらの階調のそれぞれに隣接する前記抽出された階調に対する発光中心の間に位置する発光中心を用いて推定されることを特徴とする請求項１に記載のプラズマディスプレイパネルの駆動方法。
【請求項７】
入力階調を処理するための疑似輪郭を反映した各階調を設定するステップと、
前記設定された各階調を用いて前記入力階調を処理するステップと、
を含むことを特徴とするプラズマディスプレイパネルの駆動方法。
【請求項８】
前記設定された各階調は、各階調におけるそれぞれの発光中心を用いて追従した平均軌跡から抽出された階調であることを特徴とする請求項７に記載のプラズマディスプレイパネルの駆動方法。
【請求項９】
前記平均軌跡から一定の範囲内に存在する発光中心にそれぞれ対応する階調は、疑似輪郭を発生し得る階調であることを特徴とする請求項８に記載のプラズマディスプレイパネルの駆動方法。
【請求項１０】
前記平均軌跡から一定の範囲外に存在する発光中心にそれぞれ対応する階調は、疑似輪郭を発生しない階調であることを特徴とする請求項８に記載のプラズマディスプレイパネルの駆動方法。
【請求項１１】
前記入力階調を処理するステップは、
前記設定された各階調を参照して前記入力階調が疑似輪郭を発生し得る階調であるかを判断するステップと、
前記入力階調が疑似輪郭を発生し得る階調である場合、前記設定された各階調を用いて前記入力階調に対する誤差拡散を行うステップと、
を含むことを特徴とする請求項７に記載のプラズマディスプレイパネルの駆動方法。
【請求項１２】
前記誤差拡散は、前記設定された各階調のうち、前記入力階調から一定の範囲内に存在し、隣接する階調に対する発光中心の間に位置する発光中心を用いて推定されることを特徴とする請求項１１に記載のプラズマディスプレイパネルの駆動方法。
【請求項１３】
前記設定された各階調を用いて前記入力階調に対するディザリングを行うステップをさらに含むことを特徴とする請求項１１に記載のプラズマディスプレイパネルの駆動方法。
【請求項１４】
前記ディザリングは、前記設定された各階調のうち、前記入力階調から一定の範囲内に存在し、隣接する階調に対する発光中心の間に位置する発光中心を用いて推定されることを特徴とする請求項１３に記載のプラズマディスプレイパネルの駆動方法。
【請求項１５】
入力階調を処理するための疑似輪郭を反映した各階調を設定する手段と、
前記設定された各階調を用いて前記入力階調を処理するための手段と、
を備えることを特徴とするプラズマディスプレイパネルの駆動装置。
【請求項１６】
前記設定された各階調は、各階調における発光中心を用いて追従した平均軌跡から抽出された階調であることを特徴とする請求項１５に記載のプラズマディスプレイパネルの駆動装置。
【請求項１７】
前記入力階調を処理するための手段は、
前記設定された各階調を参照して前記入力階調が疑似輪郭を発生し得る階調であるかを判断するための手段と、
前記入力階調が疑似輪郭を発生し得る階調である場合、前記設定された各階調を用いて前記入力階調に対する誤差拡散を行うための手段と、
を備えることを特徴とする請求項１５に記載のプラズマディスプレイパネルの駆動方法。
【請求項１８】
前記誤差拡散は、前記設定された各階調のうち、前記入力階調から一定の範囲内に存在し、隣接する階調を用いて前記入力階調に対応する階調を推定することを特徴とする請求項１７に記載のプラズマディスプレイパネルの駆動装置。
【請求項１９】
前記設定された各階調を用いて前記入力階調に対するディザリングを行うための手段をさらに備えることを特徴とする請求項１７に記載のプラズマディスプレイパネルの駆動装置。
【請求項２０】
前記ディザリングは、前記設定された各階調のうち、前記入力階調から一定の範囲内に存在し、隣接する階調を用いて前記入力階調に対応する階調を推定することを特徴とする請求項１９に記載のプラズマディスプレイパネルの駆動装置。
【発明の詳細な説明】
【技術分野】
【０００１】
本発明は、プラズマディスプレイパネルに関し、特に、疑似輪郭を低減させることのできるプラズマディスプレイパネルの駆動方法および装置に関する。
【背景技術】
【０００２】
情報処理システムが発展および普及され、視覚情報伝達手段としての表示装置の重要性が高くなりつつある。このような表示装置として陰極線管（ＣＲＴ）が多く使用されているが、これは、大きなサイズ、高い動作電圧、画面歪みなどのような問題点がある。近年、このような陰極線管の問題点を解決することのできる液晶表示装置（ＬＣＤ：Liquid Crystal Display）、電界放出表示装置（ＦＥＤ：Field Emission Display）およびプラズマディスプレイパネル（ＰＤＰ：Plasma Display Panel、以下「ＰＤＰ」と略する）などのフラットな表示装置が開発されている。
【０００３】
これらのうちＰＤＰは、不活性混合ガスの放電時に発生する真空紫外線により蛍光体（Phosphor）を励起発光させることで画像を表示する装置である。このようなＰＤＰは、薄膜化および大型化が容易であると共に構造が簡単であるため、製作が容易であり、他のフラットな表示装置に比べて輝度および発光効率が高いという利点が有する。特に、交流面放電型（alternate current surface discharge）ＰＤＰは、放電時に表面に壁電荷が蓄積され、放電により発生するスパッタリングから電極を保護しているため、低電圧駆動および長寿命という長所がある。
【０００４】
図６は、従来の３電極交流面放電型ＰＤＰを示す図である。
【０００５】
同図に示されたように、交流面放電型ＰＤＰは、上方電極９が形成された前面ガラス基板１と、アドレス電極４が形成された背面ガラス基板２とを有する。前面ガラス基板１と背面ガラス基板２とは、隔壁３を挟んで平行に離間している。前面ガラス基板１、背面ガラス基板２および隔壁３により形成された放電空間内には、Ｎｅ＋Ｘｅ、Ｈｅ＋Ｘｅ、Ｈｅ＋Ｎｅ＋Ｘｅなどの混合ガスが注入される。
【０００６】
上方電極９は、１つのプラズマ放電セル内に二つの電極が一対をなしている。上方電極９のそれぞれは、幅の広い透明電極と、この透明電極の一側縁に接続される幅の狭いバス電極とを備える。上記一対の上方電極のいずれか１つは、アドレス期間に供給されるスキャンパルスに応答してアドレス電極と共に対向放電を起した後、サステイン期間に供給されるサステインパルスに応答して、隣接する上方電極と面放電を起すスキャン電極として使用され、他の１つは、前記スキャン電極と一対をなして同じサステインパルスが共通に供給されるサステイン電極として使用される。
【０００７】
上方電極９が形成された前面ガラス基板１上には、上方誘電体層７および保護層８が積層される。上方誘電体層７は、プラズマ放電の時に放電電流を制限すると共に壁電荷を蓄積させる。保護層８は、通常、酸化マグネシウム（ＭｇＯ）からなり、プラズマ放電の時に発生したスパッタリングによる上方誘電体層の損傷を防止し、二次電池の放出効率を高くする働きをする。
【０００８】
背面ガラス基板２には、アドレス電極４を覆うように下方誘電体層６が形成される。下方誘電体層６は、アドレス電極４を保護する働きをする。下方誘電体層６上には、放電空間を分割するための隔壁３が形成される。下方誘電体層６と隔壁３の表面には、真空紫外線により励起され、赤（Ｒ）、緑（Ｇ）、青（Ｂ）の可視光を発生させる蛍光体５が塗布される。
【０００９】
通常、ＰＤＰは、画像の階調（グレースケール）を表現するため、ピクセルを選択するためのアドレス期間と、選択されたピクセルで表示放電を起すサステイン期間と、に分離されており、所謂、ＡＤＳ（Address and Display Separated）方式で時分割駆動される。即ち、１フレーム期間は、輝度重み付け値によってサステインパルスの個数（即ち、サステイン放電回数）を異ならせて、設定された複数のサブフィールドに分けられる。また、各サブフィールドは、リセット期間（reset period）、アドレス期間およびサステイン期間に分けられる。例えば、２５６階調で画像を表示しようとする場合、１／６０秒に相当するフレーム期間（１６．６７ｍｓ）は、図７に示されたように、８つのサブフィールド（ＳＦ１〜ＳＦ８）に分けられる。そして、８つのサブフィールドのそれぞれは、前述のように、リセット期間、アドレス期間およびサステイン期間とに分けられる。このとき、リセット期間およびアドレス期間は、各サブフィールドにおいて同じであるが、サステイン期間とこのサステイン期間に割り当てられるサステインパルスの個数は、各サブフィールドにおいて２ｎ（ｎ＝０、１、２、３、４、５、６、７）のレートで増加する。
【００１０】
従って、各サブフィールドに割り当てられたサステインパルスの個数を組み合わせて所定の階調を表現することとなる。例えば、６４階調を表現するためには、サブフィールドＳＦ１、ＳＦ２、ＳＦ３、ＳＦ４、ＳＦ５、ＳＦ６がオンし、輝度重み付け値２０、２１、２２、２３、２４、２５がそれぞれ累積して生成されるサステインパルスの個数分だけ放電が行われる必要がある。
【００１１】
しかし、このようなＡＤＳ駆動方式で動画を表現する場合、動いている物体の周辺に目障りな輪郭が現われ、表示品質が低下するが、これを疑似輪郭（false contour）と呼ぶ。このような疑似輪郭は、時間軸上での発光中心の差によるものである。ここで、発光中心とは、１フレーム内でオンした（即ち、アドレス期間により選択された）サブフィールドの時間的な光の中心を意味する。
【００１２】
例えば、図７に示されたように、３１階調を表現するには、サブフィールドＳＦ１、ＳＦ２、ＳＦ３、ＳＦ４、ＳＦ５がオンし、輝度重み付け値２０、２１、２２、２３、２４が累積される必要があるが、３２階調を表現するには、サブフィールドＳＦ６のみがオンし、輝度重み付け値２５のみで表現可能となる。即ち、３１階調を表現するには、ＳＦ１、ＳＦ２、ＳＦ３、ＳＦ４、ＳＦ５という長い期間の間、放電が行われる必要があるが、３２階調を表現するには、ＳＦ５だけの短い期間の間に放電すれば良い。即ち、階調３１と階調３２とは、１階調の差が出るが、階調３１と階調３２との発光中心においては、相当な差が発生する。即ち、図７に示されたように、階調３１を表現する時の発光中心は、１フレームの中間後に位置するが、これに対し、階調３２を表現する時の発光中心は、１フレームの頭に位置し、これによって、階調３１と階調３２の各発光中心は、相当な時間差を置いて位置することとなる。
【００１３】
従って、疑似輪郭は、動画の表現に際し、隣接する階調の間で発光中心がフレームの時間軸上で急に変化する時に発生する。
例えば、図８に示されたように、階調１２７と階調１２８が右側に移動すると、観察者は、（Ａ）軌跡で動く物体を追従する時は、階調１２７、（Ｃ）軌跡で動く物体を追従する時は、階調１２８の明るさ（brightness）を認識することとなる。
【００１４】
しかし、（Ａ）軌跡と（Ｃ）軌跡との境界に位置する（Ｂ）軌跡で動く物体を追従すると、階調１２７と階調１２８が累積された階調２５５の、非常に明るい明るさと認識することとなる。
【００１５】
本出願人は、ＳＷＳＥ（Selective Write Selective Erase）サブフィールド駆動技法を用いて、１フレーム期間の間、オン−セル（ON−cell）を選択する選択的記録サブフィールドと、オフ−セル（OFF−cell）を選択する選択的消去サブフィールドとを併用し、高速駆動が可能となるだけでなく、コントラストと動画の疑似輪郭を改善することができる方法を、既に出願された特許文献１、特許文献２、特許文献３及び特許文献４などで提案している。
【００１６】
しかし、これらの特許出願では、隣接する階調を表示する時、時間軸上で発光中心の差が出ることがあり、疑似輪郭が現われることがある。
【特許文献１】大韓民国特許出願第２０００−１２６６９号
【特許文献２】大韓民国特許出願第２０００−５３２１４号
【特許文献３】大韓民国特許出願第２００１−３００３号
【特許文献４】大韓民国特許出願第２００１−６４９２号
【発明の開示】
【発明が解決しようとする課題】
【００１７】
本発明は、前述のような問題点を解決するためになされたものであって、本発明の目的は、各階調における発光中心から抽出された疑似輪郭を発生しない階調を用いて疑似輪郭を発生し得る階調を誤差拡散などを用いて推定することにより、疑似輪郭を低減させることのできるプラズマディスプレイパネルの駆動方法および装置を提供することにある。
【課題を解決するための手段】
【００１８】
上記目的を達成するために、本発明の好適な実施形態によれば、プラズマディスプレイパネルの駆動方法は、各階調別に存在する発光中心を用いて平均軌跡を追従するステップと、前記平均軌跡から一定の範囲内に存在する発光中心に対応する階調を抽出するステップと、前記抽出された階調を用いて抽出されていない階調を推定するステップとを含む。
【００１９】
本発明の好適な他の実施形態によれば、プラズマディスプレイパネルの駆動方法は、入力階調を処理するための疑似輪郭のことを反映した階調を設定するステップと、前記設定された各階調を用いて入力階調を処理するステップとを含む。
【００２０】
また、入力階調を処理するステップは、前記設定された階調を参照して入力階調が疑似輪郭を発生し得る階調であるかを判断するステップと、入力階調が疑似輪郭を発生し得る階調である場合、前記設定された各階調を用いて入力階調に対する誤差拡散を行うステップとを含む。
【００２１】
本発明の好適なまた他の実施形態によれば、プラズマディスプレイパネルの駆動装置は、入力階調を処理するための疑似輪郭のことを反映した階調を設定するための手段と、前記設定された各階調を用いて入力階調を処理するための手段とを備える。
【発明の効果】
【００２２】
以上のように、本発明のプラズマディスプレイパネルの駆動方法および装置によれば、各階調における発光中心を用いて入力階調の状態によって疑似輪郭を発生しない階調と推定させることにより、疑似輪郭を著しく低減させ、画質を向上させることができる。
【発明を実施するための最良の形態】
【００２３】
以下、添付の図面を参照して本発明のプラズマディスプレイパネルの駆動方法および装置について説明する。
【００２４】
本発明のプラズマディスプレイパネルの駆動方法は、疑似輪郭が発生しない階調を用いて疑似輪郭が発生し得る階調を推定する。
このため、先ず、疑似輪郭を発生しない階調を得る方法について説明する。
【００２５】
図１は、本発明の好適な一実施形態に係るプラズマディスプレイパネルにおいて疑似輪郭を発生しない階調を得る方法を説明するための順序図である。
【００２６】
同図に示されたように、１フレーム期間に表現される各階調における時間軸上で発光中心を算出する（Ｓ２１）。このような発光中心は、光センサやシミュレーションなどを用いて算出することができる。即ち、実際に各階調別にＰＤＰの画面上に表現させ、このとき、ＰＤＰの画面上に表現される階調に対する発光中心を光センサやシミュレーションを用いて算出する。例えば、８つのサブフィールドに割り当てられ、２５６階調を表現し得るフレームにおいて、階調１２４、階調１２５、階調１２６、階調１２７の間には、発光中心の変化が大きくないが、階調１２７と階調１２８との間には、発光中心の変化が非常に大きくなる。
【００２７】
算出された発光中心を線で連結すると、図３のようになる。
図３は、本発明の一実施形態に係る１フレーム期間内に選択的記録サブフィールドと選択的消去サブフィールドとが含まれたサブフィールドパターンで各階調を表現する時、算出された発光中心を示す図である。
【００２８】
同図から、発光中心が隣接する階調の間において互いに異なる変化幅を有することがわかる。図示のように、隣接する階調の間で変化幅が所定の範囲を超える階調に対して疑似輪郭が発生することとなる。
【００２９】
各階調別に発光中心を算出すると、このような発光中心の平均値を求め、求められた平均値を連結して平均軌跡（locus）を追従する（Ｓ２２）。このような平均軌跡は、図３に示されたように、隣接する階調の間で線形的に連結される。このような平均軌跡によって各階調を表現すると、隣接する階調の間において発光中心が類似するようになり、観察者が目で認識できる明るさの差がほとんど現われなくなり、疑似輪郭の発生をほとんど感じられなくなる。換言すれば、このように追従された平均軌跡によって動画を表現する場合は、疑似輪郭がほとんど現われなくなる。
【００３０】
平均軌跡が追従されると、図４に示されたように、前記平均軌跡を中心に一定の距離だけ隔てられた位置に第１および第２のしきい値（ＴＨ１、ＴＨ２）を設定する（Ｓ２３）。このとき、前記第１および第２のしきい値は、前記平均軌跡に近接するように設定されることが好ましい。このような第１および第２のしきい値の設定は、このようなしきい値の間に存在する発光中心に対応する階調を抽出し、抽出された階調を用いて抽出されていない階調を推定するようにして、疑似輪郭が発生するおそれのある階調を源泉的に遮断して疑似輪郭を極力抑制させるためである。
【００３１】
前述のように前記平均軌跡を中心に第１および第２のしきい値が設定されると、このような第１および第２のしきい値の間に存在する発光中心を抽出する（Ｓ２４）。次に、抽出された発光中心のそれぞれに対応する階調（即ち、疑似輪郭が発生しない階調）を獲得する（Ｓ２５）。このとき、獲得された階調は、それらの階調間の発光中心がほとんど差が出なくなり、疑似輪郭が発生しない。
【００３２】
このように獲得された階調を用いて第１および第２のしきい値を外れた発光中心のそれぞれに対応する階調（即ち、疑似輪郭が発生し得るおそれのある階調）を推定することにより、疑似輪郭を低減させることができる。
【００３３】
このように獲得された階調をプラズマディスプレイパネルに適用し、実際に外部から入力される階調を対象に疑似輪郭があるか否かによって疑似輪郭が発生しない階調と推定する方法を説明する。
【００３４】
図２は、本発明の好適な一実施形態に係るプラズマディスプレイパネルにおいて疑似輪郭が発生しない階調を用いて疑似輪郭が発生する階調を推定する方法を説明する順序図である。
【００３５】
同図に示されたように、先ず、図１に関連して説明した方法により得られた疑似輪郭が発生しない階調を設定する（Ｓ３１）。このような設定は、通常、ルックアップテーブル（即ち、図５の階調設定部）としてシステムに登録される。このようなルックアップテーブルには、疑似輪郭が発生しない階調と各階調に対応する発光中心が登録される。
このように疑似輪郭が発生しない階調が設定されると、外部から入力階調を受信する（Ｓ３２）。このとき、入力階調は、一般に、外部から入力された映像信号から抽出された階調である。
【００３６】
このように受信された入力階調を対象に疑似輪郭が発生するか否かを判断する（Ｓ３３）。即ち、上記ルックアップテーブルを照会して入力階調がルックアップテーブルに存在する場合は、入力階調は、疑似輪郭が発生しない階調であり、反対に、ルックアップテーブルに存在しない場合は、入力階調は、疑似輪郭が発生し得る階調である。
【００３７】
判断の結果、入力階調が疑似輪郭が発生し得る階調である場合、入力階調を対象に疑似輪郭が発生しない階調を推定する（Ｓ３４）。即ち、入力階調が疑似輪郭を発生し得る階調である場合、入力階調に隣接する階調をルックアップテーブルから探して当該隣接する階調のそれぞれに対する発光中心を用いて当該発光中心の間に位置するように入力階調に対する発光中心を決定し、決定された発光中心に対応する階調を入力階調に対する新しい階調と推定する。従って、このように推定された階調で画面上に表現すると、上記推定された階調と隣接する階調との間で発光中心がほとんど差がなくなり、疑似輪郭が発生しなくなる。
【００３８】
前述のように入力階調に対する疑似輪郭が発生しない階調への推定は、誤差拡散（error diffusion）やディザリング（dithering）などを用いて行うことができる。
図５は、本発明の好適な一実施形態に係るプラズマディスプレイパネルの駆動装置を示すものである。
【００３９】
同図に示されたように、本発明のプラズマディスプレイパネルの駆動装置は、ガンマ＆ゲイン調整部５１、階調設定部５３、階調処理部５５、サブフィールドマッピング部５７、駆動部５８などで構成される。
【００４０】
ガンマ＆ゲイン調整部５１は、赤（Ｒ）、緑（Ｇ）、青（Ｂ）別に入力データをガンマおよびゲインの調整を行う。
階調設定部５３は、疑似輪郭が発生しない階調と各階調に対応する発光中心を登録したルックアップテーブルであって、前述のように各階調における発光中心を用いて追従された平均軌跡から一定の範囲内に存在する階調が登録される。
【００４１】
階調設定部５３は、入力データの当該階調が疑似輪郭を発生し得るか否かを判断し、当該階調が疑似輪郭を発生し得る階調である場合、疑似輪郭が発生しない階調と推定するのを助ける働きをする。
【００４２】
階調処理部５５は、ガンマ＆ゲイン調整部５１から出力された入力データの階調が疑似輪郭を発生し得る階調であるかを判断し、入力階調が疑似輪郭を発生し得る階調である場合、前記設定された各階調を用いて入力階調に対する誤差拡散を行う。即ち、階調処理部５５は、階調設定部５３を照会して入力階調と一致する階調が存在するかを判断する。入力階調と一致する階調が階調設定部に存在する場合は、入力階調は、疑似輪郭が発生しない階調と、入力階調と一致する階調が階調設定部５３に存在しない場合は、入力階調は、疑似輪郭が発生する階調と、それぞれ判断される。
【００４３】
従って、入力階調が疑似輪郭を発生する階調と判断される場合は、誤差拡散を用いて入力階調を疑似輪郭を発生しない階調と推定させる。即ち、前述のように、入力階調に隣接する疑似輪郭が発生しない階調に対する発光中心を階調設定部から選択し、選択された発光中心の間に適切に位置する発光中心を算出し、算出された発光中心に対応する階調を推定する。このように推定された階調が入力階調を、疑似輪郭を発生することなく、隣接する階調と共に画面上に表現されることとなる。
なお、誤差拡散の代わりにディザリング技法を用いて入力階調に対する疑似輪郭を発生しない階調と推定することができる。
【００４４】
もし入力階調が疑似輪郭を発生しない階調と判断されると、別の処理を行うことなく、サブフィールドマッピング部に入力される。
サブフィールドマッピング部５７は、階調処理部５５から出力された階調を予め設定されたサブフィールドパターンにマッピングさせる。
駆動部５９は、このようにマッピングされた階調によってパネル上に設けられた各電極を駆動させ、所定の階調を画面上に表現することとなる。
【００４５】
結局、本発明は、予め疑似輪郭が発生しない階調を設定させておき、入力階調を対象に疑似輪郭が発生するか否かを判断し、疑似輪郭が発生する階調である場合、前記設定された階調を用いて疑似輪郭が発生しない階調と推定させるが、疑似輪郭を発生しない場合は、そのまま出力する。
【図面の簡単な説明】
【００４６】
【図１】本発明の好適な一実施形態に係るプラズマディスプレイパネルにおいて、疑似輪郭が発生しない階調を得る方法を説明する順序図である。
【図２】本発明の好適な一実施形態に係るプラズマディスプレイパネルにおいて、疑似輪郭が発生しない階調を用いて疑似輪郭が発生する階調を推定する方法を説明する順序図である。
【図３】本発明の一実施形態に係る１フレーム期間内に選択的記録サブフィールドと選択的消去サブフィールドとが含まれたサブフィールドパターンで各階調を表現する時、算出された発光中心を示す図である。
【図４】疑似輪郭が発生しない階調を抽出することを説明するための図である。
【図５】本発明の好適な一実施形態に係るプラズマディスプレイパネルの駆動装置を示す図である。
【図６】従来の３電極交流面放電型プラズマディスプレイパネルを示す図である。
【図７】１フレーム期間を８つのサブフィールドに分けるサブフィールドパターンを示す図である。
【図８】動画において疑似輪郭が発生する例を示す図である。
【符号の説明】
【００４７】
５１    ガンマ＆ゲイン調整部
５３    階調設定部
５５    階調処理部
５７    サブフィールドマッピング部
５８    駆動部
【図１】
2004272249.tif 000003
【図２】
2004272249.tif 000004
【図３】
2004272249.tif 000005
【図４】
2004272249.tif 000006
【図５】
2004272249.tif 000007
【図６】
2004272249.tif 000008
【図７】
2004272249.tif 000009
【図８】
2004272249.tif 000010